(57)【要約】【課題】表示パネルにおいて、背景物の透過像をぼけることなく見ることができるものを提供する。【解決手段】  表示パネルは、ＴＦＴ基板と、ＴＦＴ基板上に形成された平坦化膜を備え、平坦化膜上に、ＥＬ素子１６が複数個配列され、透明な上面基板で覆われて構成されている。ＴＦＴ基板において、配線が格子状に形成され、それに重なるように遮光部３０が格子状に形成されている。遮光部３０において、横遮光膜３１を横切る縦方向及び縦遮光膜３２を横切る横方向のいずれにおいても、開口部３３の開口幅ａと遮光膜の幅ｂとは、ａ≧３．７×ｂ0.77を満たすように設定されている。【選択図】  図３
2013221991.tif 000002
【特許請求の範囲】
【請求項１】
基板上に複数の表示素子が配列されてなり、背後に距離をおいて置かれた背景物をパネル前方から透過して見ることのできる表示パネルであって、
前記基板には、可視光を遮断する遮光部が、第１ストライプ及び第２ストライプが交差してなる格子状に設けられ、
前記各表示素子は、前記遮光部の交差箇所に対応して設けられ、
前記第１ストライプ同士及び第２ストライプ同士の間には、前記基板の背面側から前面側に可視光が透過可能な開口部が形成され、
前記第１ストライプ及び第２ストライプを横切る各方向において、
前記開口部の幅ａと前記遮光部のストライプの幅ｂとが、ａ≧３．７×ｂ0.77の関係にある表示パネル。
【請求項２】
基板上に複数の表示素子が配列されてなり、背後に距離をおいて置かれた背景物をパネル前方から透過して見ることのできる表示パネルであって、
前記基板には、可視光を遮断する遮光部が、第１ストライプ及び第２ストライプが交差してなる格子状に設けられ、
前記各表示素子は、前記遮光部の交差箇所に対応して設けられ、
前記第１ストライプ同士及び第２ストライプ同士の間には、前記基板の背面側から前面側に可視光が透過可能な開口部が形成され、
前記第１ストライプ及び第２ストライプを横切る各方向において、
前記開口部の幅ａと前記遮光部のストライプの幅ｂとが、
ａ≧１７×ｂ0.59の関係にある表示パネル。
【請求項３】
基板上に複数の表示素子が配列されてなり、背後に距離をおいて置かれた背景物をパネル前方から透過して見ることのできる表示パネルであって、
前記基板には、可視光を遮断する遮光部が、第１ストライプ及び第２ストライプが交差してなる格子状に設けられ、
前記各表示素子は、前記遮光部の交差箇所に対応して設けられ、
前記第１ストライプ同士及び第２ストライプ同士の間には、前記基板の背面側から前面側に可視光が透過可能な開口部が形成され、
前記第１ストライプ及び第２ストライプを横切る各方向において、
前記開口部の幅ａと前記遮光部のストライプの幅ｂとが、
ａ≧２３×ｂ0.56の関係にある表示パネル。
【請求項４】
基板上に複数の表示素子が配列されてなり、背後に距離をおいて置かれた背景物をパネル前方から透過して見ることのできる表示パネルであって、
前記基板には、可視光を遮断する遮光部が、第１ストライプ及び第２ストライプが交差してなる格子状に設けられ、
前記各表示素子は、前記遮光部の交差箇所に対応して設けられ、
前記第１ストライプ同士及び第２ストライプ同士の間には、前記基板の背面側から前面側に可視光が透過可能な開口部が形成され、
前記第１ストライプ及び第２ストライプを横切る各方向において、
前記開口部の幅ａと前記遮光部のストライプの幅ｂとが、
ａ≧２４×ｂ0.60の関係にある表示パネル。
【請求項５】
前記第１ストライプ及び第２ストライプを横切る各方向において、
前記開口部の幅ａと前記遮光部のストライプの幅ｂとは、
ａ≦２５×ｂ0.74の関係にある請求項１〜４のいずれかに記載の表示パネル。
【請求項６】
前記第１ストライプ及び第２ストライプに沿って金属配線が配設され、
前記遮光部は、
可視光を遮断する光遮光性の層からなり、前記金属配線を覆っている請求項１〜５のいずれかに記載の表示パネル。
【請求項７】
前記遮光部の交差箇所にＴＦＴを含む素子駆動部が設けられ、
当該素子駆動部を前記遮光部が覆っている請求項６に記載の表示パネル。
【請求項８】
前記第１ストライプ及び第２ストライプは、
互いに交差して配設された金属配線群からなる請求項１〜５のいずれかに記載の表示パネル。
【請求項９】
前記第１ストライプ及び第２ストライプの各ピッチは４００μｍ以下である請求項１〜８のいずれかに記載の表示パネル。
【請求項１０】
前記表示素子は、自発光型の素子である請求項１〜９のいずれかに記載の表示パネル。
のいずれかに記載の表示パネル。
【請求項１１】
前記各表示素子は、
前記遮光部の上に重ねて配されている請求項９に記載の表示パネル。
【請求項１２】
前記各表示素子は、可視光が透過可能であって、
前記開口部に配されている請求項１〜１１のいずれかに記載の表示パネル。
【発明の詳細な説明】
【技術分野】
【０００１】
本発明は、画像や文字情報を表示することが可能で、パネルの背後に距離を置いて置かれた背景物を、パネルを透過して見ることのできる表示パネルに関するものである。
【背景技術】
【０００２】
近年、有機ＥＬ（Electro-Luminescence）表示パネルをはじめとして、基板上に複数の表示素子が配列された薄型の表示パネルが注目されている。
この表示パネルにおいて一般に、各表示素子に信号あるいは電力を供給するために、基板上には縦方向及び横方向に伸びる複数の配線が各表示素子にまたがるように配設されている。
【０００３】
また、このような表示パネルにおいて、パネルの背面側が透けて見える透明なものも開発されている。
例えば、特許文献１に開示されているＥＬパネルでは、透明基板を有し、各発光素子は、一対の電極に挟まれた発光層を有し、配線として透明電極を格子状に配設しているので、表示される画像は前面側と背面側の両方から見ることができる。また、このＥＬパネルを透過してパネル背面側にある背景物を見ることもできる。
【先行技術文献】
【特許文献】
【０００４】
【特許文献１】特開２００７−０７１９４８号公報
【発明の概要】
【発明が解決しようとする課題】
【０００５】
一般に表示パネルにおいては高精細な表示像や大きな表示像をパネルに表示させることが望まれているが、透明な表示パネルにおいても、高精細な画像表示をすること、並びに大画面で画像表示することが望まれている。
表示パネルにおいて、表示画面を大きくすると、格子状に配設する配線の長さが長くなるので、配線の長さあたりの抵抗を小さくすることが必要である。そのために格子状の配線として金属配線を用いることが望ましい。
【０００６】
しかしながら、透明で高精細な表示パネルにおいて、格子状の配線に金属配線を用いると、高精細な格子状の遮光部がパネルに形成されるため、パネルの背後に距離を置いて置かれた背景物の透過像がぼけて見えるという問題がある。
本発明は、上記課題に鑑み、背後に距離をおいて置かれた背景物を透過して見ることのできる表示パネルにおいて、背景物の透過像のぼけを抑えることを目的とする。
【課題を解決するための手段】
【０００７】
本発明の一態様に係る表示パネルは、基板上に複数の表示素子が配列されてなり、背後に距離をおいて置かれた背景物をパネル前方から透過して見ることのできる表示パネルにおいて、基板には、可視光を遮断する遮光部を、第１ストライプ及び第２ストライプが交差してなる格子状に設け、各表示素子は、遮光部の交差箇所に対応して設け、第１ストライプ同士及び第２ストライプ同士の間には、基板の背面側から前面側に可視光が透過可能な開口部を形成し、第１ストライプ及び第２ストライプを横切る各方向において、開口部の幅ａと遮光部のストライプの幅ｂとの関係を、ａ≧３．７×ｂ0.77に設定した。
【発明の効果】
【０００８】
上記態様の表示パネルによれば、第１ストライプ及び第２ストライプが交差してなる格子状に遮光部が設けられているので、その遮光部に金属配線を用いたり、あるいは遮光部に沿って金属配線を配設することによって、大画面の表示パネルを実現できる。
また、パネルの背後に５００ｍｍの距離をおいて背景物を置いて、その背景物をパネル前方から透過して見る場合に、ぼけないと感じる人が存在する条件を満たす。
【０００９】
従って、高精細な表示像や大きな表示像を表示させることができ、且つ背景物の透過像をぼけることなく見ることができる。
【図面の簡単な説明】
【００１０】
【図１】実施の形態１にかかる表示装置１において、表示パネル１０の電極配置及び駆動回路の構成を示すブロック図である。
【図２】（ａ）は、表示パネル１０におけるＥＬ素子１６の構成例を示す断面模式図、（ｂ）は素子駆動部１８の構成を示す図である。
【図３】（ａ）は表示パネル１０の一例にかかる部分拡大図、（ｂ）は表示パネル１０の別の例にかかる部分拡大図、（ｃ）は表示パネル５０の一例にかかる部分拡大図である。
【図４】開口幅ａと遮光部の幅ｂとの関係を規定する考え方を説明する図である。
【図５】（ａ）は評価実験に用いたパネルを示す図、（ｂ）は実験方法を示す図である。
【図６】パネル４０における開口幅ａと配線幅ｂの組み合わせを示す図である。
【図７Ａ】（ａ）,（b）は、各配線幅ｂにおいて開口幅ａを変化させたときのボケ評価の知覚確率曲線である。
【図７Ｂ】（c）,（d）は、各配線幅ｂにおいて開口幅ａを変化させたときのボケ評価の知覚確率曲線である。
【図７Ｃ】（e）,（ｆ）は、各配線幅ｂにおいて開口幅ａを変化させたときのボケ評価の知覚確率曲線である。
【図８】（ａ）は、Ｘ2＝５００ｍｍのときに知覚確率が０％以上となる開口幅ａと配線幅ｂの関係を示す図であり、（ｂ）は、Ｘ2＝５００ｍｍのときに、知覚確率が２５％以上となる開口幅ａと配線幅ｂの関係を示し、かつ、Ｘ2＝２０００ｍｍのときに知覚確率が０％以上となる開口幅ａと配線幅ｂの関係を示す図である。
【図９】（ａ）はＸ2＝５００ｍｍのときに知覚確率が５０％以上となる開口幅ａと配線幅ｂの関係を示す図であり、かつ、Ｘ2＝２０００ｍｍのときに知覚確率が２５％以上となる開口幅ａと配線幅ｂの関係を示す図である。（ｂ）はＸ2＝５００ｍｍのときに、知覚確率が１００％となる開口幅ａと配線幅ｂの関係を示し、かつ、Ｘ2＝２０００ｍｍのときに知覚確率が７５％以上となる開口幅ａと配線幅ｂの関係を示す図である。
【図１０】（ａ）はＸ2＝２０００ｍｍで知覚確率５０％となる開口幅ａと配線幅ｂの関係、、かつ、Ｘ2＝５００ｍｍのときに知覚確率が７５％以上となる開口幅ａと配線幅ｂの関係を示す図である。（ｂ）はＸ2＝２０００ｍｍで知覚確率１００％となる開口幅ａと配線幅ｂの関係、（ｃ）はＸ2＝５００ｍｍで知覚確率が２５％以上、Ｘ2＝２０００ｍｍで知覚確率が１００％以下となる範囲を示す図である。
【図１１】距離Ｘ1及び距離Ｘ2を変化させたときの０次回折像と１次回折像の位置関係を示す図である。
【図１２】（ａ）は、実施の形態３にかかる表示素子６１の構成を示す図であり、（ｂ）は、実施の形態４にかかる液晶パネル７０の構造を示す図であり、（ｃ）は、実施の形態４にかかる電子ペーパ９０の構成を示す図である。
【発明を実施するための形態】
【００１１】
上記目的を達成するため、本発明の一態様に係る表示パネルは、基板上に複数の表示素子が配列されてなり、背後に距離をおいて置かれた背景物をパネル前方から透過して見ることのできる表示パネルであって、基板には、可視光を遮断する遮光部を、第１ストライプ及び第２ストライプが交差してなる格子状に設け、各表示素子は、遮光部の交差箇所に対応して設け、第１ストライプ同士及び第２ストライプ同士の間には、基板の背面側から前面側に可視光が透過可能な開口部を形成し、第１ストライプ及び第２ストライプを横切る各方向において、開口部の幅ａと遮光部のストライプの幅ｂとの関係を、ａ≧３．７×ｂ0.77に設定した。
【００１２】
この表示パネルは、主な用途として、パネルで画像を表示するとともに、パネルの背後に、１０ｃｍ以上、２ｍ程度以内の範囲で、距離をおいて置かれた背景物をパネル前方から透過して見ることを想定している。
上記態様の表示パネルによれば、第１ストライプ及び第２ストライプが交差してなる格子状に遮光部が設けられているので、その遮光部に低抵抗の金属配線を用いたり、あるいは遮光部に沿って低抵抗の金属配線を配設することによって、大画面の表示パネルを実現できる。
【００１３】
また、開口部の幅ａと遮光部のストライプの幅ｂとの関係は、パネルの背後に５００ｍｍ以内の距離をおいて背景物を置いて、その背景物をパネル前方から透過して見る場合に、ぼけないと感じる人が存在する条件を満たすように設定されている。
従って、高精細な表示像や大きな表示像を表示させることができ、且つ背景物の透過像がぼけるのを抑えることができる。
【００１４】
また、本発明の別の態様に係る表示パネルでは、第１ストライプ及び第２ストライプを横切る各方向において、開口部の幅ａと遮光部のストライプの幅ｂとの関係を、ａ≧１７×ｂ0.59に設定した。このパネルの背後に５００ｍｍ以内の距離をおいて背景物を置いて、その背景物をパネル前方から透過して見る場合に、２５％以上の人がぼけを感じない。
また、本発明の別の態様に係る表示パネルでは、第１ストライプ及び第２ストライプを横切る各方向において、開口部の幅ａと遮光部のストライプの幅ｂとの関係を、ａ≧２３×ｂ0.56に設定した。このパネルの背後に５００ｍｍ以内の距離をおいて背景物を置いて、その背景物をパネル前方から透過して見る場合に、５０％以上の人がぼけを感じない。かつ、このパネルの背後に２０００ｍｍ以内の距離をおいて背景物を置いて、その背景物をパネル前方から透過して見る場合に、２５％以上の人がぼけを感じない。
【００１５】
また、本発明の別の態様に係る表示パネルでは、第１ストライプ及び第２ストライプを横切る各方向において、開口部の幅ａと遮光部のストライプの幅ｂとの関係を、ａ≧２４×ｂ0.60に設定した。この場合、パネルの背後に２０００ｍｍ以内の距離をおいて背景物を置いて、その背景物をパネル前方から透過して見る場合に、５０％以上の人がぼけを感じない。かつ、このパネルの背後に５００ｍｍ以内の距離をおいて背景物を置いて、その背景物をパネル前方から透過して見る場合に、７５％以上の人がぼけを感じない。
【００１６】
上記各態様の表示パネルにおいて、開口部の幅ａと遮光部のストライプ幅ｂとの関係をａ≦２５×ｂ0.74の範囲に設定してもよい。このように開口部の幅ａの上限をａ＝２５×ｂ0.74にする意味は、開口部の幅ａが２５×ｂ0.74になると、パネルの背後２０００ｍｍ以内の距離に背景物をおいてこれを見たときに１００％の人がぼけを感じなくなり、実用上、開口部の幅ａをこれ以上大きく設定しても、ぼけ防止効果が向上しないことである。
【００１７】
上記各態様の表示パネルにおいて、第１ストライプ及び第２ストライプに沿って金属配線を配設し、遮光部は、可視光を遮断する光遮光性の層で形成し、遮光部で金属配線を覆うようにしてもよい。
表示パネルがアクティブ型の場合、遮光部の交差箇所にＴＦＴを含む素子駆動部を設け、素子駆動部を遮光部が覆うようにしてもよい。
【００１８】
上記各態様の表示パネルにおいて、第１ストライプ及び第２ストライプは、互いに交差して配設された金属配線群で構成してもよい。特に表示パネルがパッシブ型の場合、このような構成が適している。
通常、遮光部における第１ストライプ及び第２ストライプの各ピッチが４００μｍ以下の高詳細なパネルにおいては、パネルの背後においた背景像を見るときにぼけが生じやすいが、上記各態様の表示パネルのように、開口部の幅ａと遮光部のストライプ幅ｂとの関係を規定することによって、ぼけ防止効果を得ることができる。
【００１９】
上記各態様の表示パネルにおいて、表示素子として、ＥＬ発光素子のような自発光型の素子を用いてもよい。
その場合、各表示素子を、遮光部の上に重ねて配置すれば、各表示素子を発光させて画像表示を行いながら、パネルの背後においた背景像を透過して見ることができる。
上記各態様の表示パネルにおいて、各表示素子を、可視光が透過可能な構成とし、開口部に配置してもよい。この場合、各表示素子を、パネルの前面および背面の両側から見ることができるので、両面に画像を表示することができる。
【００２０】
＜発明に到る経緯＞
遮光部を構成する第１ストライプ及び第２ストライプを横切る各方向において、開口部の幅ａと遮光部のストライプ幅ｂとの関係を規定する考えに到った経緯を説明する。
図４（ａ）〜（ｃ）は、その説明図である。格子状の遮光部（金属配線）の開口幅をａ、遮光部のストライプ幅をｂとすると、開口ピッチｄは、ｄ＝ａ＋ｂで表わされる。
【００２１】
先ず、表示パネルの面内に遮光部（金属配線）を規則正しく配列したパネルを透過して見える背景物の透過像がぼける原因について考察する。
この透過像のぼけは、表示パネルの面内に規則正しく配列された金属配線が光を遮断する遮光部であって、背景物からの光を回折させる回折格子として働き、回折した光との間で干渉が起こることによって観察されると考える。
【００２２】
図４（ａ）を参照して、回折格子による回折現象として一般に知られている説明に基づくと、光の波長をλ、開口径をａ、開口ピッチ（格子定数）をｄ、格子に対して垂直に入射する光の方向に対する回折の方向をθとすると、隣り合う光線の光路差はｄsinθとなり、θ方向にｍ次の回折光ができる条件は、ｄsinθ＝ｍλで示される。
つまり、光の干渉は位相が一致したときに強め合い、位相が半周期ずれたときは互いに弱め合うことから、開口ピッチｄが波長λの整数倍のときに、光の強め合いの干渉が起こる。
【００２３】
そして、そのときの光の強度式Iは、
【００２４】
【数１】
2013221991.tif 000003
【００２５】
【数２】
2013221991.tif 000004
【００２６】
で示される。
ところで、図４（ｂ）に示すように、格子状の遮光部３０の開口部に向かう直線光８０が開口部３３を通過するときに、遮光部３０から離れているため回折されない直線光８１と、遮光部３０に十分に近いため回折される回折光８２が生じる。
しかし、上記光の強度Ｉの式は、回折光８２に関するものであって、直線光８１ではない。
【００２７】
開口部３３を通過する光の強度Ｉは上式だけでは表せず、直線光８１も考慮した光学式で評価するべきである。
直線光８１と回折光８２とを含めた光学式は、いわゆる背景像からの光線Ｆ(ｘ，ｙ)を、遮光部のフィルタＨ(ｘ,ｙ)で畳み込んだ式Ｆ＊Ｈなる。これは、アナログ的な光学的な観測結果とも合う内容である。
【００２８】
図４の（ｂ）と（ｃ）とを比べると、（ｃ）の開口幅ａが大きく直線光８１の比率が大きい。このように開口幅ａの比率が大きいほど、回折光８２に対する直線光８１の比率が大きくなる。
このことからも、透明な表示パネルにおける透過像の見え方は、直線光８１と回折光８２の比率との相関があり、開口幅ａと遮光部のストライプ幅ｂとの比率との相関が高いことが窺える。
【００２９】
このような考察に基づき、開口幅ａと遮光部のストライプ幅ｂとの関係に着目して、後述する実験を行い、ぼけの発生を抑える条件を見出した。
＜実施の形態＞
以下、実施の形態に係る表示パネルについて、図面を参照しながら説明するが、本発明は以下の実施の形態に限定されるものでなはない。
【００３０】
[実施の形態１]
実施の形態１にかかる表示装置１はアクティブ型有機ＥＬ表示装置である。
図１は、表示装置１において、表示パネル１０の電極配置及び駆動回路の構成を示すブロック図である。
表示装置１は、２次元画像を表示する表示パネル１０及びこの表示パネル１０を駆動する駆動回路を備える。
【００３１】
ここでは１画素が１個のＥＬ素子１６で形成されているものとして説明するが、１画素がＲＧＢ３個のＥＬ素子で形成されている場合も同様に実施できる。
表示パネル１０には、図１に示すように、走査線ＳＣ１〜ＳＣｎが画素行ごとに配置され、データ線Ｄ１〜Ｄｍ、電源線Ｐ１〜Ｐｍが画素列ごとに配置されている。走査線ＳＣ１〜ＳＣｎとデータ線Ｄ１〜Ｄｍとが交差した部分に（ｎ×ｍ）個のＥＬ素子１６が形成され、マトリクス状に画素が配置されている。
【００３２】
ここで、１個のＥＬ素子１６が１画素を形成していてもよいし、複数のＥＬ素子１６（例えば、ＲＧＢの各色を発光する３つのＥＬ素子１６）で１画素を形成してもよい。
表示装置１には、表示パネル１０を駆動するために、制御回路１１、走査線駆動回路１２、データ電源線駆動回路１３が設けられている。走査線駆動回路１２は、複数の走査線ＳＣ１〜ＳＣｎに接続されている。データ電源線駆動回路１３は、データ線Ｄ１〜Ｄｍ、電源線Ｐ１〜Ｐｍに接続されている。
【００３３】
図２（ａ）は、表示パネル１０におけるＥＬ素子１６の構成例を示す断面模式図である。  表示パネル１０は、ＴＦＴ基板１４と、ＴＦＴ基板１４上に形成された平坦化膜１５を備え、平坦化膜１５の上に、ＥＬ素子１６が複数個形成され、透明な上面基板１７で覆われて構成されている。
ＴＦＴ基板１４は、ガラス基板のように可視光を透過する透明な基板上にトランジスタ、配線等が配設されたものである。
【００３４】
平坦化膜１５は、ＴＦＴ基板１４に設けられているトランジスタ等によって生じる表面の凹凸を減少させて平坦化する層である。
ＥＬ素子１６は、ボトムアップタイプであって、平坦化膜１５上に順次形成された陽極１６ａ、正孔注入・輸送層１６ｂ、発光層１６ｃ、電子注入・輸送層１６ｄ、及び陰極１６ｅなどから構成され、自発光型の表示素子である。なお、陽極１６ａは、銀合金ＡＰＣ等からなる反射電極としてもよいし、ＩＴＯ等からなる透明電極としてもよい。陰極１６ｅは、ＩＴＯ等からなる透明電極とする。
【００３５】
発光層１６ｃは、有機材料からなる有機発光体、例えばトリス（８−キノリノラト）アルミニウム錯体（Ａｌｑ3）によって形成されており、陽極１６ａと陰極１６ｅとの間に所定の電圧が印加されると励起されて発光する。正孔注入・輸送層１６ｂおよび電子注入・輸送層１６ｄは、発光効率を向上させるために、正孔や電子を効率よく注入させたり輸送させたりするための層である。
【００３６】
なお上記ＥＬ素子１６の層構成は一例であって、材料の違いや効率、コストなどの重視する目的によって選択され、例えば、注入層のみであったり、輸送層のみであったり、注入層や輸送層が全く無い場合もある。また、ＥＬ素子として公知の層構成を適宜用いることもできる。
ＴＦＴ基板１４には、各ＥＬ素子１６に対応して素子駆動部１８が形成されている。
【００３７】
図２（ｂ）は、その素子駆動部１８の構成を示す図である。
ＴＦＴ基板１４には、走査線ＳＣと、これに直交するデータ線Ｄ及び電源線Ｐが、各素子駆動部１８に臨むように配されている。
各素子駆動部１８は、ＥＬ素子１６を駆動する駆動用トランジスタ１８Ｄｒと、スイッチ用トランジスタ１８Ｓｗと、コンデンサ（キャパシタンス）１８Ｃとを備える。
【００３８】
駆動用トランジスタ１８Ｄｒは、ゲートがスイッチ用トランジスタ１８Ｓｗのドレインと接続され、ドレインが電源線Ｐに接続され、ソースがＥＬ素子１６の陽極１６ａに接続されている。また、スイッチ用トランジスタ１８Ｓｗは、ゲートが走査線ＳＣに接続され、ソースがデータ線Ｄに接続され、ドレインがコンデンサ１８Ｃおよび駆動用トランジスタ１８Ｄｒのゲートに接続されている。
【００３９】
図１，図２を参照しながら、表示パネル１０に画像を表示する動作について説明する。
制御回路１１は、入力される画像信号に基づいて、走査線駆動回路１２及びデータ電源線駆動回路１３を駆動する。
走査線駆動回路１２は、複数の走査線ＳＣ１〜ＳＣｎに対して、表示階調を書き込む行を選択する走査信号を順次出力する。データ電源線駆動回路１３は、走査線駆動回路１２によって選択された行に対して、画像信号に応じたデータ信号を複数のデータ線Ｄ１〜Ｄｍに出力する。
【００４０】
そして、各素子駆動部１８においては、走査信号（ゲート電圧）が走査線ＳＣからスイッチ用トランジスタ１８Ｓｗのゲートに流れ込むと、スイッチ用トランジスタ１８ＳｗはＯＮ状態になる。このとき、データ信号（電流信号）が、データ線Ｄからスイッチ用トランジスタ１８Ｓｗのソースに流れさらにドレインに流れて、駆動用トランジスタ１８Ｄｒのゲートに流れ込み、電源線Ｐに接続されたコンデンサ１８Ｃに、データ信号に応じた電荷が蓄積される。
【００４１】
次に、駆動用トランジスタ１８Ｄｒのソースにコンデンサ１８Ｃに蓄積された電荷が流れ込み、その後、駆動用トランジスタ１８Ｄｒのドレインにデータ信号に比例した電流が流れ、ＥＬ素子１６にその電流が供給される。すなわち、コンデンサ１８Ｃに蓄積されたデータ信号電圧は、１フレーム期間を通じて保持され、この保持されたデータ信号電圧により、駆動用トランジスタ１８Ｄｒのコンダクタンスがアナログ的に変化し、発光階調に対応した駆動電流がＥＬ素子１６の陽極１６ａから陰極１６ｅへと流れ、ＥＬ素子１６が発光する。
【００４２】
このようにして、表示装置１においては、入力される画像信号に基づいて各ＥＬ素子１６が階調表示することによって画像を表示する。
（遮光部３０）
ＴＦＴ基板１４において、金属配線（走査線ＳＣ，データ線Ｄ，電源線Ｐ）が、格子状に形成されているが、それに重なるように、遮光部３０が格子状に形成されている。
【００４３】
すなわち、ＴＦＴ基板１４上において、金属配線（走査線ＳＣ，データ線Ｄ，電源線Ｐ）及び素子駆動部１８と重なるように、遮光部３０が格子状に設けられている。
この遮光部３０は、図１に示すように、横方向に伸長する複数の横遮光膜３１及びこれと交差して縦方向に伸長する複数の縦遮光膜３２からなり、複数の横遮光膜３１が第１ストライプ、複数の縦遮光膜３２が第２ストライプに相当する。各横遮光膜３１は走査線ＳＣを被覆し、縦遮光膜３２は、データ線Ｄ、電源線Ｐの対を被覆している。また、素子駆動部１８を構成する光不透過性の要素部分（ＴＦＴのゲート、素子内の金属配線、コンデンサなど）も、遮光部３０で被覆されている。
【００４４】
遮光部３０は、可視光を吸収して透過させない可視光不透過層であって、表示面への外光の照り返しや外光の入射を防止し、表示コントラストを向上させる。遮光部３０は例えば、パターニングが容易なフォトレジストに、光吸収性及び遮光性に優れる顔料（例えば、黒色顔料）を分散させた顔料分散樹脂材料で形成される。
そして、横遮光膜３１同士及び縦遮光膜３２同士の間隙に相当する開口部３３は、遮光膜が存在しないので、ＴＦＴ基板１４の背面側から前面側に可視光が透過可能となっている。
【００４５】
図３（ａ）は、図１に示した表示パネル１０の部分拡大図である。
表示パネル１０において、遮光部３０を構成する横遮光膜３１と縦遮光膜３２とが交差する箇所ごとに対応してＥＬ素子１６が設けられている。
図３（ａ）に示す例では、各ＥＬ素子１６は遮光部３０の上に設けられている。具体的には、各ＥＬ素子１６は、横遮光膜３１と縦遮光膜３２と交差して重なり合っている領域に設けられている。この他に、遮光部３０上と開口部３３とにまたがってＥＬ素子１６を設けてもよいし、図３（ｂ）に示す例のように開口部３３上にＥＬ素子１６を設けてもよい。
【００４６】
図３（ｂ）に示す例では、各ＥＬ素子１６は、横遮光膜３１と縦遮光膜３２とが交差する箇所の右下の開口部３３と重なっている。開口部３３と重なるＥＬ素子１６には、可視光透過性が要求されるが、陽極１６ａおよび陰極１６ｅにはいずれも透明電極を用い、各ＥＬ素子１６を構成する各層をナノオーダーの厚みで非常に薄く形成することによって、ＥＬ素子１６を光透過性にすることができる。
【００４７】
図３（ａ），（ｂ）の遮光部３０において、開口部３３の幅ａとストライプの幅ｂとは、横遮光膜３１を横切る縦方向及び縦遮光膜３２を横切る横方向の両方向において、ａ≧３．７×ｂ0.77の範囲内に設定されている。
すなわち縦方向において、開口部３３の縦幅ａ1と横遮光膜３１の幅ｂ1とがａ1≧３．７×ｂ10.77の範囲に設定され、横方向においても、開口部３３の横幅ａ2と縦遮光膜３２の幅ｂ2とがａ2≧３．７×ｂ20.77の範囲に設定されている。
【００４８】
（表示パネル１０による作用効果）
表示パネルの配線（走査線ＳＣ，データ線Ｄ，電源線Ｐ）としてＩＴＯのような透明配線を用いた場合は、導電性がアルミや銅などの金属と比べて１／１００程度であるので、配線幅を小さく且つ配線長を長くすることが難しい。従って、高精細で大型のパネルは実現しにくい。
【００４９】
これに対して、表示パネル１０においては、配線（走査線ＳＣ，データ線Ｄ，電源線Ｐ）に低抵抗の金属配線を用いているので、配線の幅が狭く配線長が長くても、導電性を確保できる。従って、高精細で大きな表示像を表示できるものを実現できる。
一方、金属配線は遮光性であるため、表示パネルに金属配線を設けると遮光部と開口部が形成される。ここで、表示パネルを透過して背後の透過像を見る場合、透過像がぼけて見えることがある。特に、表示パネルが高解像度で大サイズの場合、透過像がぼけて見えやすい。
【００５０】
このように透過像がぼけて見える原因として、図４（ｂ）に示すように、金属配線による遮光部１３０同士の間隙である開口部１３３を、直線光８０（背景像からの反射光あるいは放射光）が前方に通過するときに、遮光部１３０で回折されずに前方に直進する直線光８１と、遮光部１３０で回折される回折光８２とがあり、回折光８２の割合が多くなると透過像がぼけて見えることになる。
【００５１】
これに対して、本実施の形態にかかる表示パネル１０では、上記のように遮光部３０における開口幅ａとストライプの幅ｂとが、ａ≧３．７×ｂ0.77の範囲内に設定されているので、図４（ｃ）に示すように、回折光８２に対する直線光８１の割合が大きくなり、回折光８２の影響は少なくなるので、パネルの表側にいる観察者は背後の透過像をぼけずに視認することができる。
【００５２】
従って表示パネル１０においては、金属配線を用いることによって、高精細で大きな表示像を表示でき、且つ、背後からの透過像をぼけずに視認することができる。
また、図３（ａ）に示すように、遮光部３０上にＥＬ素子１６を形成した場合は、表示パネル１０で画像表示をしながら、開口部３３を通してパネル背後の背景像を見ることができる。すなわち、表示パネル１０に表示される画像と、表示パネル１０の背後に置かれた背景物とを同時に表示パネル１０の前方から見ることができる。
【００５３】
一方、図３（ｂ）に示すように開口部３３にＥＬ素子１６を形成した場合は、発光層１６ｃで発した光は、表示パネル１０の表側および裏側の両方の面側に進行するので、表示パネル１０は表面および裏面の両面に画像を表示することができる。
[評価実験]
図５(ａ)に示すように、実験用のパネル４０として、透明な基板４１上に、縦の配線４２及び横の配線４３を規則正しく形成して、格子状の遮光部を形成した。具体的には、遮光部は、Ｃrを蒸着した金属メッシュパターンで形成した。ただし、パネル４０ごとに、開口幅ａと配線幅ｂとの比率をいろいろな値に変えて作製した。
【００５４】
そして、作製した各パネル４０を用いて透過像のぼけの見え方を評価する実験を行った。
本実験で具体的に用いたパネル４０は、配線４２，４３の配線幅ａは約５μｍから約９００μｍの範囲内で、開口幅ｂは約５μｍから約２５０μｍまでの範囲内で、それぞれ設定し、配線幅ａと開口幅ｂの組み合わせを４２数種類設定した。
【００５５】
図６は、作製したパネル４０の配線幅ａと開口幅ｂの組み合わせを示す図である。
なお、変数を簡単にするために、各パネル４０において、縦の配線４２と横の配線４３の配線幅ｂは同一とし、開口幅ａも横方向と縦方向の幅を同じ幅に設定した。なお、予備実験において、縦の開口幅a、横の開口幅３aのときにぼけは縦a方向のぼけの感じ方は縦の開口幅a、横の開口幅aの時と同じであり、さらに、縦の開口幅3a、横の開口幅aのときにぼけは横a方向のぼけの感じ方は縦の開口幅a、横の開口幅aの時と同じであることを確認した。
【００５６】
図５（ｂ）にその実験装置を示す。観察者４７と背景物４４との間にパネル４０を位置させる。背景物４４の背後に白色の布で覆われた背景４５を置き、照明４６で照射した。
照明４６により照射される背景物４４の照度は１０００lxとし、背景４５として置かれた白色の布から反射される順応輝度は１００ｃｄ／ｍ2とした。
照明４６では背景物４４及び背景４５のみを照射するように制御することによって、表示パネルの反射による見え方の影響を極力排除した。
【００５７】
観察者４７は３０代から５０代の９名である。
観察者４７とパネル４０との間の距離Ｘ1は５００mm〜３５００mmの範囲内、パネル４０と背景物４４との間の距離Ｘ2は５００mm〜３５００mmの範囲内で設定した。
パネル４０を透過した背景物の透過像がぼけたか否かを判定する基準は、１次回折像を認識できず且つ０次回折像がぼけずに見える場合はぼけていないと判定し、１次回折像を認識した場合及び０次回折像がぼけて見えた場合は、ぼけたものと判定した。
【００５８】
一般的に、人間の目の分解能は垂直方向よりも水平方向の感度が良いことが知られている。従って、開口幅ａの限界値は水平方向、すなわち横方向で決まると考えられる。
(実験１)
上記の４２種類の各パネル４０について、観察者４７とパネル４０との間の距離Ｘ１を５００mm、パネル４０と背景物４４との間の距離Ｘ2を５００ｍｍに設定して、９人の観察者４７の中で何％がボケを感じるかを調べた。ここで、ボケを感じるか否かの評価は、背景物４４の全体を見たときにボケを感じるか否かによって判定した。
【００５９】
その結果から、配線幅ｂを一定にして、開口幅ａを変化させたパネル４０についてのボケ評価の知覚確率曲線が得られる。
例えば図７（ａ）は、配線４２，４３の配線幅ｂが３５μｍ（図６における◆印８点）で一定とし、開口幅ａを３０μｍ〜４００μｍの範囲内で変化させたパネル４０についてのボケ評価の知覚確率曲線である。
【００６０】
図７（ａ）の知覚確率曲線によると、開口径ａが大きくなるにつれて、知覚確率が上昇する傾向を示している。
そして、開口径ａが１５０μｍ以上で、知覚確率が０％より上になっていることから、観察者４７の中の誰かが透過像のボケを知覚しないことを示している。また、開口径ａが２１０μｍのときに、知覚確率が５０％になることから、観察者４７の中の半分が透過像のボケを知覚し、半分がボケを知覚しないことを示し、開口径ａが３００μｍ以上のときに、知覚確率が１００％になっていることから、観察者４７全てが透過像のボケを知覚しないことを示している。
【００６１】
図７（ａ）と同様にして、配線幅ｂが異なったときについても知覚確率曲線を得ることができ、複数の配線幅ｂについて、知覚確率曲線を得ることができる。
図７（ｂ）は図６における▲印８点、つまり、配線４２，４３の配線幅ｂが２５μｍ〜１３０μｍ、開口幅ａを４０μｍ〜４８０μｍの範囲内で変化させたパネル４０についてのボケ評価の知覚確率曲線である。
【００６２】
図７（ｃ）は図６における■印８点、つまり、配線４２，４３の配線幅ｂが３０μｍ〜１７０μｍ、開口幅ａを４５μｍ〜６２０μｍの範囲内で変化させたパネル４０についてのボケ評価の知覚確率曲線である。
図７（ｄ）は図６における●印８点、つまり、配線４２，４３の配線幅ｂが４５μｍ〜２４０μｍ、開口幅ａを６５μｍ〜８８０μｍの範囲内で変化させたパネル４０についてのボケ評価の知覚確率曲線である。
【００６３】
なお、図７（ｅ）、（ｆ）は、配線４２，４３の配線幅ｂが５μｍ（図６における◆印８点）について開口幅ａを変化させたパネル４０についてのボケ評価の知覚確率曲線であるが、全ての開口幅ａで知覚確率は１００％となった。
人間の眼は連続的な知覚特性を持っているので、上記の図７（ａ）〜（ｅ）に示すような配線幅ｂ、距離Ｘ2を変えたときの知覚確率を表わす複数のグラフに基づいて、以下の図８〜図１０に示すように、知覚確率が一定の値となる配線幅ｂと開口幅ａの関係を表わす曲線を導き出すことができる。
【００６４】
一般的に、ぼけの評価をする場合、知覚確率５０％のときを基準として判断することが多い。その点を踏まえて、まず、知覚確率が５０％となる開口幅ａと配線幅ｂとの関係を調べると、図８（ａ）のようになった。当図において、配線４２，４３の配線幅ｂを横軸に開口幅ａを縦軸に示し、図中の曲線は知覚確率が５０％となる線を示している。
従って、距離Ｘ1＝５００mm、距離Ｘ2＝５００mmにおいて、知覚確率が５０％となる開口幅ａと配線幅ｂとの関係は一義的にａ＝２３×ｂ0.56の関係にあり、距離Ｘ1＝５００mm、距離Ｘ2＝５００mmにおいて、ａ≧２３×ｂ0.56の範囲で知覚確率５０％以上が得られることになる。
【００６５】
(距離Ｘ１,距離Ｘ2が知覚確率に及ぼす影響についての考察）
図１１は、観察者４７とパネル４０との距離Ｘ1、及びパネル４０と背景物４４との距離Ｘ2を、それぞれ変化させたときに、０次回折像の位置と１次回折像の位置がどう変わるかを示す図である。当図に基づいて、観察者４７とパネル４０との間の距離Ｘ1、パネル４０と背景物４４との間の距離Ｘ2が、ボケ評価にどのように影響を及ぼすかを検討する。
【００６６】
図１１（ａ）図１１(ｂ)は観察者４７とパネル４０との距離Ｘ1が短くなった場合の０次回折像と１次回折像の位置関係を示す。
図１１の（ａ）と（ｂ）とを比べると、距離Ｘ1は変化しているが、０次回折像と１次回折像との距離は変化していない。従って、距離Ｘ1はぼけ限界の評価値に大きな影響を与えないことがわかる。
【００６７】
なお、パネル４０と背景物４４との間の距離Ｘ2を５００ｍｍで一定とし、観察者４７とパネル４０との間の距離Ｘ１を５００ｍｍから３５００mmの間で変化させて、ぼけ評価の実験を行ったところ、ぼけ限界の評価値は変化していなかった。従って、距離Ｘ1はぼけ限界の評価値に影響を与えないことは実験でも確認している。
次に、図１１(ｃ)は、図１１（ａ）における観察者４７、パネル４０、背景物４４の位置関係を基準として、パネル４０と背景物４４との距離Ｘ2が短くなった場合の０次回折像と１次回折像の位置関係を示している。
【００６８】
図１１（ａ）に対して、図１１（ｃ）では、０次回折像と１次回折像との距離がかなり小さくなっている。
このように０次回折像と１次回折像との距離が変化すると、観察者４７のぼけに対する感じ方が変わると考えられる。通常の距離Ｘ1（５００ｍｍ以上）では、図１１（ｂ）のようにＮ次回折像と０次回折像との距離が大きくなるほど、観察者はぼけを感じやすくなるが、距離Ｘ1がかなり小さい場合は、逆に図１１（ｃ）のようにＮ次回折像と０次回折像とが近い方が、観察者はぼけを感じやすい。
【００６９】
このように、距離Ｘ2は、ぼけ限界の評価値に影響を与える可能性が大きいことがわかる。
パネル４０の開口幅ａ、配線幅ｂ、観察者４７とパネル４０との間の距離Ｘ１、パネル４０と背景物４４との距離Ｘ2の中で、ボケ限界の評価値に影響を与える因子は、開口幅ａ，配線幅ｂ及び距離Ｘ2であるといえる。
【００７０】
そこで、実験１では上記のように距離Ｘ2＝５００ｍｍで行い、後述の実験２では距離Ｘ2を長く２０００ｍｍに設定して行うこととした。
（距離Ｘ2＝５００ｍｍ、２０００ｍｍでボケの評価を行う理由）
表示パネル１０のような可視光透過性の表示パネルが使用される環境として、店舗などに陳列されるショーケース等で使用することが想定される。
【００７１】
ショーケースの大きさは様々あって、横幅の標準規格は１８０ｃｍであり、このサイズが広く使われているが、省スペースで対面カウンターとしても利用する化粧品販売店などは１５０ｃｍ幅のものも多用されている。
ショーケースの奥行の標準規格は６０ｃｍであるが、狭小店舗では４５ｃｍのものが多用されている。
【００７２】
ショーケースの高さの標準規格は９０ｃｍであって、この高さは、人の動作計測値に基づく、最も使いやすく移動客からも中の展示物が見えやすい高さであるとされる。
標準規格のショーケースにおいて、ショーケースの中の後面から１００ｍｍ程度前に陳列品を置き、正面ガラスに表示パネル１０を設けることを想定すると、表示パネル１０から後方に５００ｍｍ程度離れた位置に背景物４４に相当する陳列品が置かれることになる。
【００７３】
また通常、ショーケースの正面ガラスに設けた表示パネル１０とショーケース内に置いた陳列品との距離Ｘ2は５００ｍｍ以下に収まり、Ｘ2＝５００ｍｍの条件で測定した知覚確率以上の知覚確率が得られることになる。
従って、Ｘ2＝５００ｍｍの条件で測定したぼけ限界の評価値は、実際のショーケースにおける使用環境に適用できる。
【００７４】
次に、デパートなどの前面や屋内の店舗の各入口近くにあるショーウィンドウには、１ｍ2を越える大きなサイズのものが多い。これら大サイズのショーウィンドウの奥行きも多々あるが、２ｍを越えるものはほとんどない。
従って、ショーケースやショーウィンドウに表示パネル１０を適用する場合を想定すると、Ｘ2＝２０００ｍｍが上限値と考えることができる。
【００７５】
このような理由で、実験１はＸ2＝５００ｍｍで行い、実験２はＸ2＝２０００ｍｍで行うこととした。
（実験２）
実験２では、距離Ｘ2を２０００ｍｍにして、実験１と同様に実験を行った。
図１０（ａ）はその結果であって、距離Ｘ１＝５００mm、距離Ｘ2＝２０００ｍｍの場合に、知覚確率が５０％となる開口幅ａと配線幅ｂとの関係を示し、ａ＝２４×ｂ0.60の関係にある。
【００７６】
図１０（ａ）の場合、図８（ａ）と比べて、距離Ｘ１は同じで距離Ｘ2が大きいが、ぼけ限界の評価値が変化している。このことからも、距離Ｘ２はぼけ限界の評価値に影響を与えることがわかる。
また、図１０（ａ）の曲線と図８（ａ）の曲線とを比べると、同じ知覚確率５０％を得るのに図１０（ａ）の曲線の方が大きな開口幅ａが必要となることもわかる。
【００７７】
また、Ｘ2＝５００ｍｍ〜２０００ｍｍの範囲内でパネル４０を使用すれば、Ｘ2＝２０００ｍｍで測定した知覚確率以上の知覚確率が得られることになる。例えば、Ｘ2＝２０００ｍｍで知覚確率５０％以上得られるパネル４０は、Ｘ2＝５００ｍｍ〜２０００ｍｍの範囲内で知覚確率５０％以上が得られることになる。
また、Ｘ2＝５００ｍｍ〜２０００ｍｍの範囲内で表示パネルを使用し、ある知覚確率を得る上で、Ｘ2＝５００ｍｍのときの開口幅ａと配線幅ｂの関係式は開口幅ａの下限を示し、Ｘ2＝２０００ｍｍのときの開口幅ａと配線幅ｂの関係式は開口幅ａの上限を示すということもできる。
【００７８】
以上の考察のもとで、さらに、以下のように、Ｘ2＝５００ｍｍ及びＸ2＝２０００ｍｍにおいて、５０％以外の各知覚確率についても算出した。
（Ｘ2＝５００ｍｍにおける知覚確率）
上記４２種類のパネル４０について、Ｘ2＝５００ｍｍで評価した実験１の結果に基づいて、知覚確率が０％を上回る条件、知覚確率が２５％となる条件、知覚確率が７５％となる条件、知覚確率が１００％となる条件も算出した。その結果を以下にまとめる。
【００７９】
Ｘ2＝５００ｍｍのときに知覚確率が０％を上回る条件：
知覚確率が０％を上回る開口幅ａと配線幅ｂの関係の範囲は、図８（ａ）に示すとおり、ａ＞３．７×ｂ0.77となる。
従って、表示パネル１０における開口幅ａと遮光部のストライプ幅ｂとの関係を、ａ＞３．７×ｂ0.77の範囲に設定すれば、Ｘ2が５００ｍｍ以下の条件で表示パネル１０を透過する透過像のぼけを抑制する効果が得られる。
【００８０】
Ｘ2＝５００ｍｍのときに知覚確率が２５％以上となる条件：
知覚確率が２５％となる開口幅ａと配線幅ｂの関係は、図８（ｂ）に示すように、ａ＝１７×ｂ0.59である。
従って、表示パネル１０において、開口幅ａと遮光部のストライプ幅ｂとの関係を、ａ≧１７×ｂ0.59に設定すれば、Ｘ2が５００ｍｍ以下のときに知覚確率２５％以上が得られる。
【００８１】
Ｘ2＝５００ｍｍのときに知覚確率が５０％以上となる条件：
知覚確率が５０％となる開口幅ａと配線幅ｂの関係は、図９（ａ）に示したとおりであって、その関係式はａ＝２３×ｂ0.56である。
従って、表示パネル１０において、開口幅ａと遮光部のストライプ幅ｂとの関係を、ａ≧２３×ｂ0.56に設定すれば、Ｘ2が５００ｍｍ以下の条件で知覚確率５０％以上が得られる。
【００８２】
Ｘ2＝５００ｍｍのときに知覚確率７５％以上となる条件：
Ｘ2＝５００ｍｍのときに知覚確率７５％以上となる開口幅ａと配線幅ｂとの関係は、図１０（ａ）に示したＸ2＝２０００ｍｍで知覚確率が５０％となる開口幅ａと配線幅ｂの関係と一致し、ａ＝２４×ｂ0.60であった。
従って、表示パネル１０において、開口幅ａと遮光部のストライプ幅ｂとの関係を、ａ≧２４×ｂ0.60に設定すれば、Ｘ2が５００ｍｍ以下の条件で知覚確率７５％以上が得られる。
【００８３】
Ｘ2＝５００ｍｍのときに知覚確率１００％となる条件：
Ｘ2＝５００ｍｍのときに知覚確率が１００％となるのは、図９（ｂ）に示すように、ａ＝２４×ｂ0.70となるときである。
従って、表示パネル１０において、開口幅ａと遮光部のストライプ幅ｂとの関係を、ａ≧２４×ｂ0.70に設定すれば、Ｘ2が５００ｍｍ以下の条件で知覚確率１００％が得られる。
【００８４】
（Ｘ2＝２０００ｍｍにおける知覚確率）
上記４２種類のパネル４０について、Ｘ2＝２０００ｍｍ（２ｍ）で評価した実験２の結果に基づいて、上記の５０％以上となる条件以外に、知覚確率が１００％となる条件も算出した。その結果を以下にまとめる。
Ｘ2＝２０００ｍｍのときに知覚確率５０％以上となる条件：
上記図１０（ａ）に示したように、開口幅ａと配線幅ｂとが、ａ＝２４×ｂ0.60の関係にある。
【００８５】
従って、表示パネル１０において、開口幅ａと遮光部のストライプ幅ｂとの関係を、ａ≧２４×ｂ0.60に設定すれば、Ｘ2が２０００ｍｍ以下のときに知覚確率５０％以上が得られる。
Ｘ2＝２０００ｍｍのときに知覚確率１００％となる条件：
Ｘ2＝２０００ｍｍにおいて、知覚確率１００％の開口幅ａと配線幅ｂの関係は、図１０（ｂ）に示すようにａ＝２５×ｂ0.74である。
【００８６】
従って、表示パネル１０において、開口幅ａと遮光部のストライプ幅ｂとの関係を、ａ≧２５×ｂ0.74に設定すれば、Ｘ2が２０００ｍｍ以下の条件で知覚確率１００％が得られる。
また、このＸ2＝２０００ｍｍで知覚確率が１００％となるａ＝２５×ｂ0.74は、開口幅ａの上限値、すなわち、実用上、これ以上開口幅ａを広げる必要がない値と見ることができる。
【００８７】
従って、上記の図８（ａ），（ｂ）、図９（ａ），（ｂ）に示すようなＸ2＝５００ｍｍにおいて一定の知覚確率を得る曲線を開口幅ａの下限とし、図１０（ｂ）に示すＸ2＝２０００ｍｍにおいて知覚確率１００％の曲線を開口幅ａの上限として設定することも、実用的な意味がある。
例えば、図１０（ｃ）は、図８（ｂ）に示したＸ2＝５００ｍｍにおいて知覚確率２５％以上が得られる条件（ａ≧１７×ｂ0.59）を満たし、図１０（ｂ）に示したＸ2＝２０００ｍｍで知覚確率が１００％の条件ａ＝２５×ｂ0.74を上限とする範囲を示している。この範囲は、表示パネル１０を透過する透過像のぼけを抑制する上で、実用的な意味がある範囲と考えられる。
【００８８】
（表示パネル１０の実施例）
表示パネル１０の構成要素のサイズについて一例を示す。
実施例にかかる表示パネル１０は、２０型で、縦が約２７０ｍｍ、横が約４６０ｍｍの大きさとし、表示パネル１０の厚みは約１．４ｍｍである。
横遮光膜３１および縦遮光膜３２の線幅ｂは、いずれも約１０μｍである。
【００８９】
ＥＬ素子１６（表示素子）の各々は、表示像を表示するためのサブピクセルに対応する。
そして、各ＥＬ素子１６の平面視形状は、縦２７０μｍ、横９０μｍの矩形状である。
この場合、縦方向の開口幅ａ1が横方向の開口幅ａ2と比べると何倍も大きいので、横方向の開口幅ａ2と配線幅ｂ2の比率によって知覚確率が決まる。
【００９０】
横方向における開口幅ａ2＝９０μｍは、Ｘ2＝５００ｍｍにおいて知覚確率５０％を示す式（ａ≧２３×ｂ0.56）に遮光幅ｂ＝１０μｍを代入した開口幅ａの値２３×１０0.56＝８３．５μｍより大きいので、この表示パネル１０は、ショーケースにおいてＸ2＝５００ｍｍで使用する場面において、知覚確率５０％以上が得られる。
一方、横方向における開口幅ａ2＝９０μｍは、Ｘ2＝５００ｍｍにおいて知覚確率７５％となる開口幅ａの値（２４×１０0.60＝９５．５μｍ）よりは小さい。
【００９１】
従って、この表示パネル１０は、ショーケースにおいてＸ2＝５００ｍｍで使用する場面において、知覚確率は５０％〜７５％の範囲内であって、５０〜７５％の観察者はショーケースの展示物を、通常の透明なガラスやアクリルのショーケースと同じように、ぼけることなくクリアに見ることができる。
[実施の形態２]  パッシブ駆動型の表示パネルの例
表示パネル５０は、パッシブ駆動型有機ＥＬパネルである。パネルサイズは、７型であって、縦長が約９０ｍｍ、横長が約１５０ｍｍ、厚みが約１．４ｍｍである。
【００９２】
表示パネル５０においては、ＴＦＴ基板は用いられず、一対の透明な基板の間に、格子状の金属配線部３４が形成されている。
図３（ｃ）は、表示パネル５０の一部を示す概略平面図である。
金属配線部３４は、横方向にストライプ状に形成された複数の第１金属配線３５と、縦方向にストライプ状に形成された複数の第２金属配線３６とが、互いに立体交差するよう配されて構成されている。この金属配線部３４が格子状の遮光部に相当する。
【００９３】
そして、各交差箇所に対応して表示素子５１が設けられている。各表示素子５１は、実施の形態１で説明したＥＬ素子１６と同様の構成であって、表示像を表示する画素を形成している。
各表示素子５１は、第１金属配線３５と第２金属配線３６との交差箇所の右下において、第１金属配線３５及び第２金属配線３６に囲まれた開口部と重なる位置に配置されている。
【００９４】
各表示素子５１はナノオーダーの厚みで非常に薄いため光を透過する光透過性である。
表示パネル５０において、例えば、第１金属配線３５および第２金属配線３６の線幅ｂは５μｍ、開口幅ａは９５μｍとする。また、各表示素子５１のサイズは、例えば、平面視で縦７５μｍ、横７５μｍの矩形状とする。
表示パネル５０において画像表示時には、パッシブ駆動方式によって、複数の第１金属配線３５および複数の第２金属配線３６を介して、表示像を表示するための信号が各表示素子５１に供給され、各表示素子５１で信号に基づいて発光し、それによって表示パネル５０には画像が表示される。
【００９５】
各表示素子５１で発光した光は、表示パネル５０の表側と裏側に出射されるので、表示パネル５０の表側と裏側に画像が表示される。
次に、この表示パネル５０の背後に距離を開けて置かれた背景物を、表示パネル５０透過して見るときには、上記実施の形態１で説明した開口幅ａと配線幅ｂの関係が知覚確率に及ぼす実験結果は、この表示パネル５０においても適用される。従って、表示パネル５０に対して、上記実施の形態１で説明したとおりに開口幅ａと配線幅ｂとの関係を規定することによって、表示パネル５０を透過する透過像のぼけを抑制することができる。
【００９６】
上記のように表示パネル５０の開口幅ａが９５μｍ、第１金属配線３５および第２金属配線３６の線幅ｂが５μｍの場合について考察する。
上記実施の形態１で説明した実験結果によれば、Ｘ2＝２０００ｍｍの場面で、遮光部の幅ｂが５μｍのとき、知覚確率７５％となる開口幅ａは、２４×５0.70＝７４．０μｍ、知覚確率１００％となる開口幅ａは、２５×５0.74＝８２．３μｍであるが、表示パネル５０の開口幅ａ（９５μｍ）はこれを上回っているので、知覚確率１００％が得られる。
【００９７】
従って、表示パネル５０を大型のショーウィンドウの前面に設置して、表示パネル５０を透過してショーウィンドウ内の展示物を見るときに、通常の透明なガラスやアクリルのショーウィンドウで見るのと同じように、ぼけることなくクリアに見ることができる。
[実施の形態３]：無機ＥＬ
本実施形態にかかる表示パネルは、上記図３（ｃ）に示す上記表示パネル５０と同様の構成であって、１対の透明な基板の間に、ストライプ状の第１金属配線３５およびストライプ状の第２金属配線３６からなる格子状の金属配線部３４を有し、各交差箇所に対応して表示素子６１が設けられているが、この表示素子６１は無機ＥＬ素子である。
【００９８】
図１２（ａ）は、表示素子６１の積層構造を示す図である。当図に示すように、表示素子６１は、第１の電極６１ａ、第１の絶縁層６１ｂと、発光層６１ｃと、第２の絶縁層６１ｄと、第２の電極６１ｅがこの順で積層されて構成されている。
発光層６１ｃは、ＺｎＳ、ＣｄＳ、ＺｎＳｅ等の無機ＥＬ材料からなる蛍光体によって構成されている。
【００９９】
そして、第１の電極６１ａが、図３(ｃ)における第１金属配線３５に、第２の電極６１ｅおよび第２金属配線３６に接続されている。
このような表示パネルにおいて、画像表示時には、画像信号に基づいて、第１金属配線３５と第２金属配線３６との間に１，０００，０００Ｖ／ｃｍ程度の交流電圧を印加する。  各表示素子６１において、その交流電圧が第１の電極６１ａと第２の電極６１ｅとの間に印加され、高電界で加速された電子が発光層６１ｃ内の蛍光体の発光中心を衝突励起し、それらが緩和する際に発光を生じる。
【０１００】
このように各表示素子６１が発光することによって画像表示がなれる。第１の絶縁層６１ｂおよび第２の絶縁層６１ｄは、発光層６１ｃ内に流れる電流を制限することによって、無機ＥＬの絶縁破壊を抑え、かつ、安定な発光特性を得られるように作用する。
本実施形態の表示パネルにおいても、背後に距離を開けて置かれた背景物を、表示パネル透過して見るときには、上記実施の形態１で説明した開口幅ａと配線幅ｂの関係が知覚確率に及ぼす実験結果は適用することができる。従って、表示パネルに対して、上記実施の形態１で説明したとおりに開口幅ａと配線幅ｂとの関係を規定することによって、表示パネルを透過する透過像のぼけを抑制することができる。
【０１０１】
なお、図１２（ａ）に示す表示素子６１の構成は一例であって、無機ＥＬ素子としては、公知の層構成を適宜用いることができ、その場合も同様の効果を得ることができる。
[実施の形態４] 
本実施形態では、液晶パネル及び電子ペーパに適用する例について説明する。
液晶パネル７０：
図１２(ｂ)は、本実施の形態にかかる液晶パネル７０の構造を示す図である。
【０１０２】
この液晶パネル７０は、下基板７１と上基板７２とで、液晶層７３が挟まれた構造を有している。下基板７１及び上基板７２は、ガラス基板などの透明基板である。
下基板７１の上面側には、液晶層７３に電圧をかけて液晶分子の向きを制御するための透明電極７４が画素ごとに設けられ、液晶層７３の液晶分子をねじれさせるための配向膜も形成されている。また、上基板７２の下面側には共通電極としての透明電極７５が設けられ、配向膜も形成されている。
【０１０３】
そして、下基板７１の下面側と上基板７２の上面側には、偏光板が貼り付けられている。
また、図１２（ｂ）に示すように、下基板７１上面側には、金属からなる複数の横配線７６及び複数の縦配線７７が、互いに絶縁した状態で立体交差するように配設され、各交差箇所に素子駆動部７８が設けられている。
【０１０４】
各透明電極７４は、素子駆動部７８を介して横配線７６と縦配線７７に接続されている。
横配線７６、縦配線７７、素子駆動部７８を被覆するように、格子状の遮光部が設けられている。この遮光部は、図１２(ｂ)には図示していないが、実施の形態１で図３（ｂ）を参照しながら説明した横遮光膜３１および縦遮光膜３２からなる遮光部３０と同様のものであって、遮光部間の開口部は矩形状であって可視光が透過できるようになっている。
【０１０５】
このような液晶パネル７０において、遮光部間の各開口部に、液晶層７３、透明電極７４などからなる液晶表示素子が形成されている。
液晶パネル７０の表示時においては、画像信号に基づいて、複数の横配線７６及び複数の縦配線７７を介して各透明電極７４に電圧を印加して、画素ごとに液晶層７３の液晶分子の向きを制御する。それによって、各画素における可視光の透過率が制御されて、画像が表示される。
【０１０６】
一方、この液晶パネル７０において、非表示時には液晶層７３を可視光が透過できるように液晶層７３の液晶が配向し、遮光部間の各開口部を可視光が透過できるようになるので、液晶パネル７０の背後に置かれた背景物を透過して見ることができる。
ここで、液晶パネル７０を透過して背後の透過像を観る際に、上記実施の形態１で説明した開口幅ａと配線幅ｂの関係が知覚確率に及ぼす実験結果を適用することができるので、液晶パネル７０において、上記実施の形態１で説明したとおりに開口幅ａと遮光部のストライプの幅ｂとの関係を規定することによって、液晶パネル７０を透過する透過像のぼけを抑制することができる。
【０１０７】
なお、上記液晶パネル７０の構成は一例であって、液晶パネルとして用いられている公知の層構成を適宜適用することができ、その場合も同様の効果が得られる。
電子ペーパ９０：
図１２（ｃ）はインプレーン型の電子ペーパ９０の構成を示す図である。
電子ペーパ９０は、透明なＴＦＴ基板９１及び透明な上面基板９２とが、井桁状の隔壁電極９３を介して貼り合わせられて構成され、隔壁電極９３に囲まれた空間９４の中に着色粒子が流動可能な状態で封入されて表示素子が形成されている。
【０１０８】
隔壁電極９３は、遮光性の導電材料からなり、横方向にストライプ状に伸長する複数の横隔壁部９３ａ及び縦方向にストライプ状に伸長する複数の縦隔壁部９３ｂとが交差して構成され、上記の各表示素子はこの交差箇所に対応して存在している。
図示は省略するが、ＴＦＴ基板９１には、複数の横配線及び複数の縦配線が、互いに絶縁された状態で立体交差するように配設され、各交差箇所にＴＦＴを含む素子駆動部が設けられている。これらの横配線、縦配線及び素子駆動部は、隔壁電極９３とは絶縁された状態で、横隔壁部９３ａ及び縦隔壁部９３ｂによって遮蔽されるように配置されている。
【０１０９】
従って、横隔壁部９３ａ及び縦隔壁部９３ｂからなる格子状の隔壁電極９３は、実施の形態１で図３（ｂ）を参照しながら説明した横遮光膜３１および縦遮光膜３２からなる格子状の遮光部３０と同様の遮光機能を有し、空間９４は開口部に相当し、可視光が透過可能な状態にすることができるようになっている。
また、図示はしないが、ＴＦＴ基板９１上には、各空間９４に臨むように透明な素子電極が配設されている。この素子電極は、ＴＦＴを介して横配線及び縦配線に接続され、横配線，縦配線からＴＦＴを介して各素子電極に電圧を印加できるようになっている。
【０１１０】
このような電子ペーパ９０において、画像表示時には、画像信号に基づいて、横配線及び縦配線を介して各素子電極に電圧を印加すると、各空間９４内の着色粒子は画像信号に応じて素子電極上に拡がる。
このように各空間９４内で画像信号に応じて着色粒子が拡がり、その拡がった着色粒子は電子ペーパ９０の前面側及び背面側から見えるので、それによって画像が前面側及び背面側に表示される。
【０１１１】
一方、非表示時には、各空間９４内に封入されている着色粒子を隔壁電極９３の表面上に集束させるように各素子電極の電圧を制御する。それによって各空間９４内を可視光が透過できる状態になるので、電子ペーパ９０の背後にある背景物を、電子ペーパ９０を透過して観ることができる。
電子ペーパ９０を透過して背後の透過像を見る際に、上記実施の形態１で説明した開口幅ａと配線幅ｂの関係が知覚確率に及ぼす実験結果を適用することができるので、電子ペーパ９０において、空間９４の縦幅ａ1と横隔壁部９３ａの幅ｂ1との関係及び空間９４の横幅ａ2と縦隔壁部９３ｂの幅ｂ2との関係を、上記実施の形態１で説明したように規定することによって、電子ペーパ９０を透過して見える透過像のぼけを抑制することができる。
【０１１２】
なお、上記電子ペーパ９０の構成は一例であって、従来から電子ペーパに用いられている公知の層構成を適宜適用することができ、その場合も同様の効果が得られる。
（変形例）
上記実施の形態１〜３で説明した各表示パネルでは、遮光部を構成するストライプが一定幅の帯状であり、開口部の形状も矩形状であったが、開口部の形状は正確に矩形状でなく、矩形から変形した形状であってもよい。また、開口部の形状は、矩形状でなく円形状、長円形状などでもよい。
【０１１３】
開口部が矩形状でない場合は、同じ面積の矩形状の開口部に変換し、その変換した矩形状の開口部の開口幅ａとストライプの幅ｂとの関係が、上述した関係となるように、遮光部の形状を規定すればよい。
【産業上の利用可能性】
【０１１４】
本発明にかかる表示パネルは、ショーケースやショーウインドウに設置する販売用あるいは宣伝用のディスプレイとして有用である。その他、窓などに設置する宣伝用のディスプレイなどにも用いることができる。
【符号の説明】
【０１１５】
１      表示装置
１４    ＴＦＴ基板
１６    ＥＬ素子
１７    上面基板
１８    素子駆動部
３０    遮光部
３１    横遮光膜
３２    縦遮光膜
３３    開口部
３４    金属配線部
３５    第１金属配線
３６    第２金属配線
４０    実験用のパネル
４２，４３  配線
４４    背景物
５０    表示パネル
５１    表示素子
６１    表示素子
７０    液晶パネル
７１    下基板
７２    上基板
７３    液晶層
７６    横配線
７７    縦配線
７８    素子駆動部
９０    電子ペーパ
９１    ＴＦＴ基板
９２    上面基板
９３    隔壁電極
９３ａ  横隔壁部
９３ｂ  縦隔壁部
９４    空間
【図１】
2013221991.tif 000005
【図２】
2013221991.tif 000006
【図３】
2013221991.tif 000007
【図４】
2013221991.tif 000008
【図５】
2013221991.tif 000009
【図６】
2013221991.tif 000010
【図７Ａ】
2013221991.tif 000011
【図７Ｂ】
2013221991.tif 000012
【図７Ｃ】
2013221991.tif 000013
【図８】
2013221991.tif 000014
【図９】
2013221991.tif 000015
【図１０】
2013221991.tif 000016
【図１１】
2013221991.tif 000017
【図１２】
2013221991.tif 000018